(57)【要約】【課題】時間や場所を問わず、脚部の矯正を容易に行うことができる脚部矯正用トレーニング装置を提供する。【解決手段】左右両側の大腿部１に当接して左右両側の大腿部１の開き角度を制限する矯正本体部１２を有することにより、使用者が着席した状態において、矯正本体部１２が左右両側の大腿部１に当接して左右両側の大腿部１の開き角度を制限する。これにより、左右両側の大腿部１が大きく開かず、脚部５の姿勢が矯正される。この結果、外出時及び室内において、使用者の着席時の姿勢が乱れることを防止でき、使用者の姿勢及び行儀が向上する。【選択図】      図８
2015144706.tif 000002
【特許請求の範囲】
【請求項１】
左右両側の大腿部に当接して左右両側の前記大腿部の開き角度を制限する矯正本体部を有することを特徴とする脚部矯正用トレーニング装置。
【請求項２】
前記矯正本体部は、伸縮可能な材質で構成されていることを特徴とする請求項１に記載の脚部矯正用トレーニング装置。
【請求項３】
前記矯正本体部は、形状記憶素材で構成されていることを特徴とする請求項１又は２に記載の脚部矯正用トレーニング装置。
【請求項４】
前記矯正本体部は、磁力を発生する磁力発生部を有することを特徴とする請求項１乃至３のいずれか１項に記載の脚部矯正用トレーニング装置。
【請求項５】
前記矯正本体部は、前記大腿部との当接領域にクッション部を有することを特徴とする請求項１乃至４のいずれか１項に記載の脚部矯正用トレーニング装置。
【請求項６】
前記矯正本体部は、装飾品を取り付け可能な装飾品取付部を有することを特徴とする請求項１乃至５のいずれか１項に記載の脚部矯正用トレーニング装置。
【請求項７】
前記矯正本体部は、発光部を有することを特徴とする請求項１乃至６のいずれか１項に記載の脚部矯正用トレーニング装置。
【請求項８】
前記矯正本体部は、所定の信号を発信する信号発信部を有することを特徴とする請求項１乃至７のいずれか１項に記載の脚部矯正用トレーニング装置。
【請求項９】
前記矯正本体部は、前記大腿部を保温又は加熱する温度調整部を有することを特徴とする請求項１乃至８のいずれか１項に記載の脚部矯正用トレーニング装置。  
【発明の詳細な説明】
【技術分野】
【０００１】
本発明は、Ｏ脚を矯正するために用いる脚部矯正用トレーニング装置に関し、特に椅子等に着席したときの両膝の開き具合を調整可能な脚部矯正用トレーニング装置に関する。
【背景技術】
【０００２】
従来では、Ｏ脚を矯正するために用いる矯正用靴が知られている（下記特許文献１参照）。
【先行技術文献】
【特許文献】
【０００３】
【特許文献１】特開２００５−２２４３３５号公報
【発明の概要】
【発明が解決しようとする課題】
【０００４】
ところで、上記矯正用靴は、外出時等においてその靴を履いている時にのみ矯正効果があり、靴を脱げば、矯正効果が無くなる等の問題がある。このため、室内等においては、脚部の矯正ができなくなる。
【０００５】
そこで、本発明は、上記問題に鑑み、時間や場所を問わず、脚部の矯正を容易に行うことができる脚部矯正用トレーニング装置を提供することを目的とする。
【課題を解決するための手段】
【０００６】
本発明は、左右両側の大腿部に当接して左右両側の前記大腿部の開き角度を制限する矯正本体部を有する脚部矯正用トレーニング装置である。
【０００７】
この場合、前記矯正本体部は、伸縮可能な材質で構成されていることが好ましい。
【０００８】
この場合、前記矯正本体部は、形状記憶素材で構成されていることが好ましい。
【０００９】
この場合、前記矯正本体部は、磁力を発生する磁力発生部を有することが好ましい。
【００１０】
この場合、前記矯正本体部は、前記大腿部との当接領域にクッション部を有することが好ましい。
【００１１】
この場合、前記矯正本体部は、装飾品を取り付け可能な装飾品取付部を有することが好ましい。
【００１２】
この場合、前記矯正本体部は、発光部を有することが好ましい。
【００１３】
この場合、前記矯正本体部は、所定の信号を発信する信号発信部を有することが好ましい。
【００１４】
この場合、前記矯正本体部は、前記大腿部を保温又は加熱する温度調整部を有することが好ましい。
【発明の効果】
【００１５】
本発明によれば、使用者が着席した状態において、矯正本体部が左右両側の大腿部に当接して左右両側の大腿部の開き角度を制限する。これにより、左右両側の大腿部が大きく開かず、脚部の姿勢が矯正される。この結果、外出時及び室内において、使用者の着席時の姿勢が乱れることを防止でき、使用者の姿勢及び行儀が向上する。
【００１６】
また、矯正本体部が伸縮可能な材質で構成されていることにより、伸縮機能を利用して大腿部に対する装着が容易になる。これにより、脚部矯正用トレーニング装置の取り扱いや持ち運びが容易になる。
【００１７】
また、矯正本体部が形状記憶素材で構成されていることにより、使用後は、矯正本体部の形状が元の形状に戻る。これにより、脚部矯正用トレーニング装置の持ち運びが容易になる。
【００１８】
また、矯正本体部が磁力を発生する磁力発生部を有することにより、大腿部に当接したときに大腿部に対して磁力が作用する。これにより、大腿部の血流が促進され、マッサージ効果が期待できる。
【００１９】
また、矯正本体部が大腿部との当接領域にクッション部を有することにより、大腿部に装着痕が残らず、大腿部に対する負担が軽減される。
【００２０】
また、矯正本体部が装飾品を取り付け可能な装飾品取付部を有することにより、装飾品を取り付けることが可能になる。このため、装飾効果が高くなる。
【００２１】
また、矯正本体部が発光部を有することにより、発光が可能になる。これにより、意匠効果を高めることができる。
【００２２】
また、矯正本体部が所定の信号を発信する信号発信部を有することにより、例えば位置情報や体調不良等の情報を外部へ発信することが可能になる。これにより、使用者の位置及び状態を外部の者に知らせることができる。さらには、脚部矯正用トレーニング装置の位置・場所を特定することができ、置き忘れ等の対策として効果がある。
【００２３】
また、矯正本体部が大腿部を保温又は加熱する温度調整部を有することにより、矯正本体部を大腿部に装着した時に大腿部を保温又は加熱することができる。これにより、寒い時等に大腿部の温度を維持又は高めることで防寒機能を発揮し、さらには大腿部ひいては脚部の血流促進が図られる。
【図面の簡単な説明】
【００２４】
【図１】本発明の一実施形態の脚部矯正用トレーニング装置の基本構成を示した図である。
【図２】本発明の一実施形態の脚部矯正用トレーニング装置の基本構成に磁力発生部を設けた構成を示した図である。
【図３】本発明の一実施形態の脚部矯正用トレーニング装置の基本構成にクッション部を設けた構成を示した図である。
【図４】本発明の一実施形態の脚部矯正用トレーニング装置の基本構成に装飾品取付部及び装飾品を設けた構成を示した図である。
【図５】本発明の一実施形態の脚部矯正用トレーニング装置の基本構成に発光部を設けた構成を示した図である。
【図６】本発明の一実施形態の脚部矯正用トレーニング装置の基本構成に信号発信部を設けた構成を示した図である。
【図７】本発明の一実施形態の脚部矯正用トレーニング装置の基本構成に温度調整部を設けた構成を示した図である。
【図８】本発明の一実施形態の脚部矯正用トレーニング装置を大腿部の上面から大腿部に装着した状態を示した図である。
【図９】本発明の一実施形態の脚部矯正用トレーニング装置を大腿部の下面から大腿部に装着した状態を示した図である。
【図１０】本発明の一実施形態の脚部矯正用トレーニング装置の第１変形例の不使用時における状態を示した図である。
【図１１】本発明の一実施形態の脚部矯正用トレーニング装置の第１変形例の使用時における状態を示した図である。
【発明を実施するための形態】
【００２５】
本発明の一実施形態に係る脚部矯正用トレーニング装置について、図面を参照して説明する。
【００２６】
なお、本実施形態の脚部矯正用トレーニング装置は、Ｏ脚を矯正するためのトレーニング装置として、年齢・性別に関係なく、誰でもお手軽に使用することができるものである。
【００２７】
図１に示すように、脚部矯正用トレーニング装置１０は、左右両側の大腿部１（図８及び図９参照）の外側から当該大腿部１（図８及び図９参照）に当接して左右両側の大腿部１の開き角度を制限する矯正本体部１２を有している。矯正本体部１２は、所定の弾性力を有しており、全体として湾曲した形状に形成されている。
【００２８】
矯正本体部１２は、中央本体部１２Ａと、中央本体部１２Ａの一方側端部に接続され右側大腿部１Ａの外側に当接する右側端部１２Ｂと、中央本体部１２Ａの他方側端部に接続され左側大腿部１Ｂの外側に当接する左側端部１２Ｃと、を含んで構成されている。
【００２９】
矯正本体部１２は、例えば、使用者が着席した状態において、大腿部１の上側及び外側に接触する。このとき、矯正本体部１２は、所定の弾性力を有しているため、適度な押圧力を大腿部１に作用させて装着される。このため、矯正本体部１２が大腿部１から容易に外れてしまうことがない。
【００３０】
矯正本体部１２は、例えば、伸縮可能な材質で構成されていてもよい。伸縮可能な材質とは、ゴム、プラスチック、樹脂、繊維、金属などが一例として上げられる。
【００３１】
このように、矯正本体部１２が伸縮可能な材質で構成されていることにより、伸縮機能を利用して大腿部１に容易に装着可能になる。これにより、脚部矯正用トレーニング装置１０の取扱や持ち運びが容易になる。
【００３２】
矯正本体部１２は、例えば、形状記憶素材で構成されていてもよい。形状記憶素材として、例えば、形状記憶ゴム、形状記憶合金、形状記憶繊維、形状記憶ポリマなど現在周知の様々な材質が適用できる。
【００３３】
このように、矯正本体部１２が形状記憶素材で構成されていることにより、矯正本体部１２を大腿部１から取り外した後は、矯正本体部１２の形状が元の形状に戻る。これにより、脚部矯正用トレーニング装置１０の持ち運びが容易になる。
【００３４】
図２に示すように、矯正本体部１２は、例えば、磁力を発生する磁力発生部１４を有してもよい。磁力発生部１４とは、例えば、磁石が該当し、大腿部１と接触可能な矯正本体部１２の内部あるいは表面に別体又は一体的に取り付けられている。
【００３５】
このように、矯正本体部１２が磁力を発生する磁力発生部１４を有することにより、大腿部１に当接したときに大腿部１に対して磁力が作用する。これにより、大腿部１の血流が促進され、マッサージ効果が期待できる。
【００３６】
図３に示すように、矯正本体部１２は、大腿部１との当接領域の一部又は全部にわたってクッション部１６を有していてもよい。クッション部１６として、例えば、ゴム、繊維等が適用できる。
【００３７】
このように、矯正本体部１２が大腿部１との当接領域にクッション部１６を有することにより、大腿部１に装着痕が残らず、大腿部１に対する負担が軽減される。
【００３８】
図４に示すように、矯正本体部１２は、装飾品２０を取り付け可能な装飾品取付部１８を有してもよい。装飾品２０として、例えば、リボン等の立体装飾物の他に、写真、シール等の平面状のものも含まれる。また、装飾品取付部１８として、例えば、装飾品２０を取り付けるための凸凹、バインダ等の機械・物理・化学的な構造の他に、取付領域等の面積までも含む概念である。
【００３９】
このように、矯正本体部１２が装飾品２０を取り付け可能な装飾品取付部１８を有することにより、装飾品２０を取り付けることが可能になる。このため、装飾効果が高くなる。
【００４０】
図５に示すように、矯正本体部１２は、例えば、発光部２２と、発光部２２に電力を供給する電源部２４と、を有してもよい。発光部２２は、例えば、ＬＥＤ、白熱電球等の既存の発光手段が利用できる。電源部２４は、矯正本体部１２に収納可能な電池、あるいは充電池が適している。
【００４１】
このように、矯正本体部１２が発光部２２を有することにより、例えば、スイッチＯＮにより発光部２２の発光が可能になる。これにより、意匠効果を高めることができる。
【００４２】
なお、発光部２２による発光パターンは、予め決定されており、これらの発光パターンや発光色を制御可能なコントローラ（図示省略）を矯正本体部１２に設けてもよい。
【００４３】
図６に示すように、矯正本体部１２は、例えば、所定の信号を発信する信号発信部２６と、信号発信部２６に電力を供給するための電源回路２８と、を有してもよい。
【００４４】
信号発信部２６とは、例えば、様々な情報の生成・発信が可能な信号生成・発信回路であり、一例としてＧＰＳ機能を発揮する電子部品がある。具体的には、信号発信部２６は、位置情報、緊急情報などを発信する。電源回路２８は、矯正本体部１２の外側又は内部に設けられている。
【００４５】
このように、矯正本体部１２が所定の信号を発信する信号発信部２６を有することにより、例えば位置情報や体調不良等の情報を外部へ発信することが可能になる。これにより、使用者の位置や状態を外部の者に知らせることができる。さらには、脚部矯正用トレーニング装置１０の位置・場所を特定することができ、置き忘れ等の対策として効果がある。
【００４６】
図７に示すように、矯正本体部１２は、例えば、大腿部１を保温又は加熱する温度調整部３０を有してもよい。温度調整部３０は、例えば、ヒータ等の発熱体の他に、羽毛・綿などの素材が適用される。電源が必要な場合には、電源部（図示省略）を矯正本体部１２の内部又は外部に適宜設ける。
【００４７】
このように、矯正本体部１２が大腿部１を保温又は加熱する温度調整部３０を有することにより、矯正本体部１２を大腿部１に装着した時に大腿部１を保温又は加熱することができる。これにより、寒い時等に大腿部１の温度を維持又は高めることで防寒機能を発揮し、さらには大腿部１ひいては脚部５（図８及び図９参照）の血流促進が図られる。
【００４８】
次に、本実施形態の脚部矯正用トレーニング装置１０の使用方法について説明する。
【００４９】
図８に示すように、使用者が着席した状態で、左右両側の大腿部１の上面から大腿部１にかけ渡すようにして装着する。このとき、矯正本体部１２の弾性力により、矯正本体部１２に所定の弾性変形させることにより、大腿部１への装着が可能になり、取り扱いが容易になる。
【００５０】
大腿部１に矯正本体部１２が掛け渡された状態では、矯正本体部１２の右側端部１２Ｂが右側大腿部１Ａの外側から、左側端部１２Ｃが左側大腿部１Ｂの外側から、大腿部１の開きを規制するため、左右の膝（太もも）が所定の角度以上開かない。これにより、着席時に膝が大きく開かず、姿勢及び着席マナーが良くなり、エチケット（礼儀作法）を身につけることが可能になる。
【００５１】
また、Ｏ脚を改善できる効果もある。
【００５２】
なお、上記したように、矯正本体部１２の構成によって様々な作用効果を得ることができる。
【００５３】
脚部矯正用トレーニング装置１０は、屋外又は屋内においても使用することができる。使用者が着席できる環境があれば、どこでも使用でき、また、容易に持ち運びが可能になり、便利である。なお、屋外として、電車等の公共の交通機関を利用している状況での使用が該当する。
【００５４】
また、図９に示すように、使用者が着席した状態で、左右両側の大腿部１の下面から大腿部１にかけ渡すようにして装着してもよい。このとき、矯正本体部１２の大部分が大腿部１の下側に位置するため、外部から視認されることがない。
【００５５】
なお、矯正本体部１２の形態については、他にも様々な物が考えられる。図示しないが、例えば、矯正本体部１２全体を紐状に構成し、大腿部１の周囲に巻いて固定するものがある。あるいは、矯正本体部１２を衣類用のベルト状のもので構成し、大腿部１の周囲に巻き付けて固定するものがある。
【００５６】
また、矯正本体部１２は、手持ち鞄、バッグなどの鞄類に着脱自在に設けられている構成でもよい。この構成では、使用者が着席した状態で大腿部の上面に鞄類を置いたときに、矯正本体部１２が大腿部１に当接して開脚を規制することが可能になる。
【００５７】
なお、矯正本体部１２の上記構成は、任意の一つの構成を有していてもよいし、複数の構成を適宜備えていてもよい。
【００５８】
次に、本実施形態の脚部矯正用トレーニング装置１０の変形例について説明する。
【００５９】
（第１変形例）
第１変形例として、図１０に示すように、例えば、矯正本体部１２の右側端部１２Ｂ及び左側端部１２Ｃにコイル部３２を設けた構成でもよい。
【００６０】
コイル部３２を伸ばした状態の矯正本体部１２の全長は、例えば、３５〜４５ｃｍであり、厚さは、数センチ程度である。なお、矯正本体部１２の寸法設定は、上記の範囲に限られるものではなく、使用状況を想定して適宜設定することができる。
【００６１】
コイル部３２は、矯正本体部１２の長手方向両側端部が巻回されて構成されている。
【００６２】
矯正本体部１２は、形状記憶素材で構成されていることが好ましい。
【００６３】
第１変形例の使用方法として、図１１に示すように、矯正本体部１２のコイル部３２を巻き戻しながら、大腿部１の上面又は下面から大腿部１に掛け渡す。そして、矯正本体部１２を大腿部１から取り外した後は、コイル部３２の形状記憶機能により巻回していき、図１０に示す元の状態に戻る。
【００６４】
第１変形例によれば、不使用時において脚部矯正用トレーニング装置１０をコンパクトな大きさにすることが容易になり、持ち運びに一層便利になる。
【符号の説明】
【００６５】
１        大腿部
１Ａ      右側大腿部
１Ｂ      左側大腿部
５        脚部
１０      脚部矯正用トレーニング装置
１２      矯正本体部
１２Ａ    中央本体部
１２Ｂ    右側端部
１２Ｃ    左側端部
１４      磁力発生部
１６      クッション部
１８      装飾品取付部
２０      装飾品
２２      発光部
２４      電源部
２６      信号発信部
２８      電源回路
３０      温度調整部
３２      コイル部
【図１】
2015144706.tif 000003
【図２】
2015144706.tif 000004
【図３】
2015144706.tif 000005
【図４】
2015144706.tif 000006
【図５】
2015144706.tif 000007
【図６】
2015144706.tif 000008
【図７】
2015144706.tif 000009
【図８】
2015144706.tif 000010
【図９】
2015144706.tif 000011
【図１０】
2015144706.tif 000012
【図１１】
2015144706.tif 000013